(57)【要約】【課題】ノートＰＣ用ＡＣアダプタとセキュリティワイヤの両機能を兼ね備えたノートＰＣ用盗難防止機能付き外部電源装置を提供することを目的とする。【解決手段】商用コンセントから取り出した交流電源を直流電源に変換するＡＣ／ＤＣ変換部１２と、前記ＡＣ／ＤＣ変換部が供給する直流電力を電子機器に接続して伝えるＤＣジャックと、電子機器の筐体に係止してロックするロック部の複合機能を有するＤＣジャック・ロック部１１と、一端を前記ＤＣジャック・ロック部に接続し、他端は静止物に係留するためのワイヤ１６とを備えた外部電源装置であり、ＡＣアダプタとセキュリティワイヤの両機能を兼ね備え、ノートＰＣに接続するＤＣジャック・ロック部が電力供給のためのＤＣジャックと、セキュリティワイヤのロック部を兼ね備えることで、使用者にセキュリティワイヤを接続する煩わしさを軽減し、セキュリティの強化になる。【選択図】図１
2009020559.tif 000002
【特許請求の範囲】
【請求項１】
商用コンセントから取り出した交流電源を直流電源に変換するＡＣ／ＤＣ変換部と、
前記ＡＣ／ＤＣ変換部が供給する直流電力を電子機器に接続して伝えるＤＣジャックと、電子機器の筐体に係止してロックするロック部の複合機能を有するＤＣジャック・ロック部と、
一端を前記ＤＣジャック・ロック部に接続し、他端は静止物に係留するためのワイヤと、
を備えたことを特徴とする盗難防止機能付き外部電源装置。
【請求項２】
前記ＤＣジャック・ロック部がロック状態である場合に電子機器に直流の電力が供給されるスイッチを備えることを特徴とする請求項１に記載の盗難防止機能付き外部電源装置。
【請求項３】
前記電子機器は請求項１に記載の盗難防止機能付き外部電源装置対応のノート型パーソナルコンピュータであり、
前記ＤＣジャック・ロック部がロック状態である場合に、前記ノート型パーソナルコンピュータの電源スイッチは有効になるスイッチを備えることを特徴とするノート型パーソナルコンピュータ。
【発明の詳細な説明】
【技術分野】
【０００１】
本発明はノート型パーソナルコンピュータ（以下、ノートＰＣ）に接続する外部電源装置に関し、ノートＰＣの盗難を防止するセキュリティワイヤを用いて、これに接続されたノートＰＣの盗難を防止できるようにした外部電源装置に関するものである。
【背景技術】
【０００２】
ノートＰＣは、携帯時にはバッテリを電源として用い、机の上など屋内ではＡＣアダプタのような外部電源装置を電源として用いるのが一般的である。ＡＣアダプタとは、商用電源端子であるＡＣコンセントから交流電力を取り出し、直流電力に変換してノートＰＣに供給する外部電源装置のことである。（以下、外部電源装置を総称してＡＣアダプタとして記載する。）
また、ノートＰＣは小型軽量化が進み、持ち運びが容易となってきたが、反面、不正規なユーザがノートＰＣを無断で持ち去るという盗難行為も増えてきた。とりわけ、ノートＰＣは、処理能力の向上や普及も相まって盗難の対象となり易い。
【０００３】
ノートＰＣ本体については、いわゆるセキュリティワイヤを用いることにより、比較的容易に盗難防止を実現することができる。
【０００４】
セキュリティワイヤとはパソコン盗難防止用の鍵とワイヤがセットになったもので、ケンジントン（Kensington）社より発売されているものが有名であり、ケンジントンロック（Kensington Lock、登録商標）とも呼ばれている。通常は、持ち運びが簡単なノートＰＣで使用されるが、最近はデスクトップ型も小型になり、簡単に持ち運べることができるので、デスクトップ型でもケンジントンロック装着用の穴を設けている機種もある。
【特許文献１】特開２００１−５５４８号公報
【特許文献２】特開平１１−１４３５７７号公報
【特許文献３】特開平１１−３９０５３号公報
【特許文献４】特開２００６−２４１７５８号公報
【特許文献５】特開２００４−３６０２３９号公報
【発明の開示】
【発明が解決しようとする課題】
【０００５】
しかしながら、従来では、ＡＣアダプタだけ接続すれば屋内使用にはほとんどの場合にこと足りるため、盗難防止セキュリティのためにはセキュリティワイヤと接続する必要があり、セキュリティワイヤに接続するか否かは使用者のセキュリティモラルのレベルに依存していた。
【０００６】
本発明はノートＰＣ用ＡＣアダプタとセキュリティワイヤの両機能を兼ね備えたノートＰＣ用盗難防止機能付き外部電源装置を提供することを目的とする。
【課題を解決するための手段】
【０００７】
本発明の請求項１に記載の発明は、
商用コンセントから取り出した交流電源を直流電源に変換するＡＣ／ＤＣ変換部と、
前記ＡＣ／ＤＣ変換部が供給する直流電力を電子機器に接続して伝えるＤＣジャックと、電子機器の筐体に係止してロックするロック部の複合機能を有するＤＣジャック・ロック部と、
一端を前記ＤＣジャック・ロック部に接続し、他端は静止物に係留するためのワイヤと、
を備えたことを特徴とする盗難防止機能付き外部電源装置、としたものであり、
ノートＰＣ用ＡＣアダプタとセキュリティワイヤの両機能を兼ね備え、また、ノートＰＣに接続するＤＣジャック・ロック部がＤＣ電力供給のためのＤＣジャックと、セキュリティワイヤのロック部を兼ね備えることで、ノートＰＣの使用者にセキュリティワイヤを接続する煩わしさを軽減し、セキュリティのさらなる強化になるという作用を有する。
【発明の効果】
【０００８】
以上のように本発明のノートＰＣ用盗難防止機能付き外部電源装置によれば、ノートＰＣ用ＡＣアダプタとセキュリティワイヤの両機能を兼ね備え、また、ノートＰＣに接続するＤＣジャック・ロック部がＤＣ電力供給のためのＤＣジャックと、セキュリティワイヤのロック部を兼ね備えるとで、ノートＰＣの使用者にセキュリティワイヤを接続する煩わしさを軽減し、セキュリティのさらなる強化になるという優れた効果が得られる。
【発明を実施するための最良の形態】
【０００９】
以下、本発明の実施の形態について、図１から図２を用いて説明する。
【００１０】
（実施の形態１）
図１は本発明のセキュリティ機能付きＡＣアダプタを示した図である。
【００１１】
図１において、１１はＤＣ電力供給のためのＤＣジャック兼、セキュリティワイヤのロック部であるＤＣジャック・ロック部であり、ノートＰＣの電力供給端子に差し込んで接続し直流電力供給する。また、ＤＣジャック・ロック部１１はノートＰＣの電力供給以外にノートＰＣの筐体に係止してロックすることで容易に取り外しできないような構成を有する。
【００１２】
１２はＡＣ／ＤＣ変換部であり、商用電源から交流電力を取り出し、直流電力に変換する機能を有する。１３はＡＣ電源コード、１４はＡＣプラグであり、商用電源端子であるＡＣコンセントから交流電力を取り出して、ＡＣ／ＤＣ変換部１２に電力供給する。１５はワイヤであり一端はＤＣジャック・ロック部１１に頑強に接続し、他端は環状に処理してあり、机の脚のような容易に移動できない静止物に係留する。１６はＤＣジャック・ロック部１１をロックする鍵である。
【００１３】
図１下段にはＤＣジャック・ロック部１１の矢印方向からみた図を示す。
【００１４】
１１ａは直流電圧＋端子、１１ｂは絶縁部、１１ｃは直流電圧−端子（アース）、１１ｄは係止片である。
【００１５】
図２は本発明のセキュリティ機能付きＡＣアダプタをノートＰＣに接続して、ロックする手順を示す。
【００１６】
図２において２１はノートＰＣの筐体、２２はＤＣジャック・ロック部１１を差し込む穴部、２３はＤＣジャック・ロック部１１より電力供給を受けるノートＰＣ側の端子部（＋−端子）である。２４は、ＤＣジャック・ロック部１１を穴部２２に差し込み、ロックした状態になると、押され閉じるロック検出スイッチである。このスイッチ２４が閉じるとノートＰＣの電源スイッチ（図示せず）の操作が有効になり、反対にスイッチ２４が押されていない、すなわち開いた状態では電源スイッチを操作しても無効であるのでノートＰＣは起動しない回路構成になっている。
【００１７】
また、１７はＤＣジャック・ロック部１１側の直流電力供給線を示し、直流電圧＋端子１１ａ、−端子（アース）１１ｃに接続する。
【００１８】
以上のように構成された本発明のセキュリティ機能付きＡＣアダプタについて、図１、図２を用いてその動作を説明する。
【００１９】
まず、図２（ａ）において、ＤＣジャック・ロック部１１をノートＰＣ筐体の穴部２２に差し込む。
【００２０】
次に、図２（ｂ）において、鍵１６をＤＣジャック・ロック部１１の鍵穴に差し込む。図２（ｂ）では、ＤＣジャック・ロック部１１の＋端子１１ａ、直流電圧−端子（アース）１１ｃはノートＰＣ側の端子部（＋−端子）２３に接触して直流電力が供給可能状態になる。
【００２１】
図２（ｃ）はＤＣジャック・ロック部１１がロック状態になった図であり、すなわち鍵１６をＤＣジャック・ロック部１１の鍵穴に差し込んでロック状態にするとは、係止片１１ｄがＤＣジャック・ロック部１１から延び出してノートＰＣの筐体２１に係止し、ＤＣジャック・ロック部１１は外せない状態になる。このとき、スイッチ２４は係止片１１ｄに押されて閉じるので、ノートＰＣの電源スイッチの操作が有効になる。ＤＣジャック・ロック部１１を差し込んだだけではロック状態ではなく容易に外すことができ、かつスイッチ２４が押されていない。すなわち、スイッチ２４が開いた状態では電源スイッチを操作しても無効であるので、ノートＰＣは起動しない。
【００２２】
本発明のセキュリティ機能付きＡＣアダプタはセキュリティワイヤとＡＣアダプタ機能を兼ね備えており、また、ノートＰＣに接続するＤＣジャック・ロック部１１はＤＣ電力供給のためのＤＣジャックと、セキュリティワイヤのロック部を兼ね備えているので一括でＡＣアダプタ接続とセキュリティワイヤの接続が可能である。
【００２３】
また、鍵１６によりＤＣジャック・ロック部１１がロック状態にならないとノートＰＣが起動しない構成にすればノートＰＣ使用者にセキュリティワイヤを接続することを促し、さらにセキュリティ強化につながる。
【００２４】
また、このようなスイッチに連動してノートＰＣの電源スイッチを有効／無効にする構成がなくとも、セキュリティワイヤとＡＣアダプタ機能を兼ね備えていること、また、ノートＰＣに接続するＤＣジャック・ロック部１１がＤＣ電力供給のためのＤＣジャックと、セキュリティワイヤのロック部を兼ね備えていることで、一括でＡＣアダプタ接続とセキュリティワイヤの接続ができ、煩わしさが軽減できるので、セキュリティワイヤを接続することを促し、セキュリティのさらなる強化になる。
【００２５】
以上のように本実施の形態のノートＰＣ用盗難防止機能付き外部電源装置によれば、ノートＰＣ用ＡＣアダプタとセキュリティワイヤの両機能を兼ね備え、また、ノートＰＣに接続するＤＣジャック・ロック部がＤＣ電力供給のためのＤＣジャックと、セキュリティワイヤのロック部を兼ね備えることで、ノートＰＣの使用者にセキュリティワイヤを接続する煩わしさを軽減し、セキュリティのさらなる強化になる。
【００２６】
なお、係止片１１ｄがスイッチ２４を押し、閉じることで、ノートＰＣの電源スイッチの操作を有効にするとしたが、ＤＣジャック・ロック部１１内にスイッチを設け、鍵によりＤＣジャック・ロック部１１がロック状態になったときにスイッチを閉じてＤＣ電力供給するようにしても同様の効果が得られる。
【産業上の利用可能性】
【００２７】
本発明にかかるノートＰＣ用盗難防止機能付き外部電源装置は、ＡＣアダプタとセキュリティワイヤの両機能を兼ね備え、ノートＰＣに接続するＤＣジャック・ロック部が電力供給のためのＤＣジャックと、セキュリティワイヤのロック部を兼ね備えることで、使用者にセキュリティワイヤを接続する煩わしさを軽減し、セキュリティのさらなる強化になる効果を有し、セキュリティ機能を有するノートＰＣ用外部電源装置等として有用である。
【図面の簡単な説明】
【００２８】
【図１】本発明のセキュリティ機能付きＡＣアダプタを示した図
【図２】本発明のセキュリティ機能付きＡＣアダプタをノートＰＣに接続して、ロックする手順を示す図
【符号の説明】
【００２９】
１１  ＤＣジャック・ロック部
１１ａ  直流電圧＋端子
１１ｂ  絶縁部
１１ｃ  直流電圧−端子（アース）
１２  ＡＣ／ＤＣ変換部
１３  ＡＣ電源コード
１４  ＡＣプラグ
１５  ワイヤ
１６  鍵
２１  ノートＰＣの筐体
２２  ＤＣジャック・ロック部を差し込む穴部
２３  ノートＰＣ側の端子部（＋−端子）
２４  ロック検出スイッチ
【図１】
2009020559.tif 000003
【図２】
2009020559.tif 000004